(57)【要約】【課題】電子機器に設けられたカード挿入孔に挿入された電子機器用カードを保持させるカード保持構造において、カードと接点との接続不良を完全に防止することができ、しかも、極めて簡単な構造にして生産性をも向上できるカード保持構造を提供すること。【解決手段】電子機器に設けられたカード挿入孔９の周囲に形成された被係合部５と、その被係合部５と嵌脱可能に形成されると共に、その被係合部５に嵌合されると同時に電子機器用カード１３の上縁部を押圧付勢させる押圧部１６が設けられた被装カバー２とを備え、さらに、被装カバー２に、被係合部５との嵌合状態時に、カード挿入孔９に電子機器用カード１３が挿入されているか否かを外部から視認可能なスリット孔１７を設ける。【選択図】図１
2008015594.tif 000002
【特許請求の範囲】
【請求項１】
電子機器に設けられたカード挿入孔に挿入された電子機器用カードを保持させるカード保持構造であって、
前記カード挿入孔の周囲に形成された被係合部と、
該被係合部と嵌脱可能に形成されると共に、その被係合部に嵌合されると同時に前記電子機器用カードの上縁部を押圧付勢させる押圧部が設けられた被装カバーと
を備えてなることを特徴とするカード保持構造。
【請求項２】
前記被係合部と前記被装カバーは、前記被装カバーを前記被係合部に対して一方からスライドさせると共にそのスライドの完了と同時に両者が嵌合されるように構成されていることを特徴とする請求項１記載のカード保持構造。
【請求項３】
前記被装カバーは、前記被係合部との嵌合状態時に、前記カード挿入孔に前記電子機器用カードが挿入されているか否かを外部から視認可能なカード視認手段を備えていることを特徴とする請求項１または２記載のカード保持構造。
【請求項４】
前記押圧部は、前記被装カバーの裏面に、かつ、前記スライド方向に、両端が接続された略アーチ状の線状部材で構成されてなり、
前記線状部材は、前記被装カバーを一方からスライドさせていくにつれて、前記電子機器用カードの上縁部を徐々に押圧付勢させるように、傾斜状に形成されていることを特徴とする請求項２または３記載のカード保持構造。
【請求項５】
前記カード視認手段は、前記被装カバーの表裏を貫くように形成されたスリット孔であることを特徴とする請求項３または４記載のカード保持構造。
【請求項６】
前記カード視認手段は、前記被装カバーを透明部材または半透明部材で構成してなることを特徴とする請求項３または４記載のカード保持構造。
【請求項７】
前記押圧部は、前記被装カバーの裏面に一端が接続され、他端が前記被装カバーの表面から出没可能なように自由端とされた略アーチ状の線状部材で構成され、
前記カード視認手段は、前記押圧部からなり、前記被装カバーの表面から出没される前記自由端の先端部の出没具合に基づいて、前記電子機器用カードの挿入の有無を判断させることを特徴とする請求項３記載のカード保持構造。
【発明の詳細な説明】
【技術分野】
【０００１】
本発明は、チューナーや薄型テレビ等の電子機器に設けられたカード挿入孔に挿入されたメモリカードやＩＣカード等の電子機器用カードを、電子機器側において保持させるカード保持構造に関する。
【背景技術】
【０００２】
従来のカード保持構造は、例えば、ＩＣカードリーダーに見られるように、カードをカード挿入孔に押し込むようにすることで、自動的にカードのローディングを開始し、所定位置にカードが達すると、カード挿入孔の入り口に設けられたシャッターが閉じると同時に、押圧片でカードを押圧して保持する構造のものがある。なお、カードを取り出すときは、取り出しボタン等を操作することで上記とは逆の動作が行われて、カードが排出されるようになっている（例えば特許文献１参照）。
【０００３】
また、他の従来のカード保持構造として、装置内部にカードを挟み込む（または押し付ける）接点付の弾性片が設けられて成るものがある。このタイプは、カード挿入孔にカードを手差しで挿入させることで、この弾性片によってカードの保持が行われると同時に、電気的な接続が完了するようになっている。
【特許文献１】特開平０２−１９７９７６号公報（第１頁、図１）
【発明の開示】
【発明が解決しようとする課題】
【０００４】
しかしながら、上記した前者のカード保持構造は、自動的なローディング機構や、自動的なシャッター機構、さらに、自動的なカード押圧機構を備えているため、構造的に複雑であり、その生産性に問題が生じていた。
後者のカード保持構造は、カード挿入孔にカードを挿入させると同時にカードを弾性片で挟み込む（または押し付ける）といった単純な構造であるため、場合によっては電気的な接続が不完全であったり、あるいは、何らかの拍子でカードが手前に移動して接続不良となってしまう等、その信用性に欠けていた。
【０００５】
そこで本発明は、このような状況に鑑みてなされたものであり、上記問題点を解決できるカード保持構造を提供することを目的とする。
【課題を解決するための手段】
【０００６】
すなわち、本発明にかかるカード保持構造は、電子機器に設けられたカード挿入孔に挿入された電子機器用カードを保持させるカード保持構造であって、前記カード挿入孔の周囲に形成された被係合部と、該被係合部と嵌脱可能に形成されると共に、その被係合部に嵌合されると同時に前記電子機器用カードの上縁部を押圧付勢させる押圧部が設けられた被装カバーとを備えてなることを特徴とする。
また、本発明にかかるカード保持構造は、前記発明において、前記被係合部と前記被装カバーは、前記被装カバーを前記被係合部に対して一方からスライドさせると共にそのスライドの完了と同時に両者が嵌合されるように構成されていることを特徴とする。
また、本発明にかかるカード保持構造は、前記発明の何れかにおいて、前記被装カバーは、前記被係合部との嵌合状態時に、前記カード挿入孔に前記電子機器用カードが挿入されているか否かを外部から視認可能なカード視認手段を備えていることを特徴とする。
また、本発明にかかるカード保持構造は、前記発明の何れかにおいて、前記押圧部は、前記被装カバーの裏面に、かつ、前記スライド方向に、両端が接続された略アーチ状の線状部材で構成されてなり、前記線状部材は、前記被装カバーを一方からスライドさせていくにつれて、前記電子機器用カードの上縁部を徐々に押圧付勢させるように、傾斜状に形成されていることを特徴とする。
また、本発明にかかるカード保持構造は、前記発明の何れかにおいて、前記カード視認手段は、前記被装カバーの表裏を貫くように形成されたスリット孔であることを特徴とする。
また、本発明にかかるカード保持構造は、前記発明の何れかにおいて、前記カード視認手段は、前記被装カバーを透明部材または半透明部材で構成してなることを特徴とする
また、本発明にかかるカード保持構造は、前記発明の何れかにおいて、前記押圧部は、前記被装カバーの裏面に一端が接続され、他端が前記被装カバーの表面から出没可能なように自由端とされた略アーチ状の線状部材で構成され、前記カード視認手段は、前記押圧部からなり、前記被装カバーの表面から出没される前記自由端の先端部の出没具合に基づいて、前記電子機器用カードの挿入の有無を判断させることを特徴とする
【発明の効果】
【０００７】
本発明によれば、カード挿入孔の周囲に形成した被係合部に被装カバーを嵌合することで、被装カバーに設けた押圧部がカード挿入孔に挿入した電子機器用カードの上縁部を押圧付勢するから、接続不良を完全に防止することができ、しかも、極めて簡単な構造であることから生産性も向上できる極めて好適なカード保持構造を提供することができる。
【発明を実施するための最良の形態】
【０００８】
次に、本発明にかかるカード保持構造の実施の形態を、図面を参照しながら説明する。なお、本実施の形態にかかるカード保持構造は、デジタル放送が受信可能な薄型テレビ（電子機器）に適用したもので、デジタル放送において、契約等により特定の視聴者のみが視聴できるように暗号化された映像・音声データを解除するためのカードであるＢ−ＣＡＳカードやC−ＣＡＳカード（電子機器用カード）等を保持させるようになっている。なお、説明の便宜上、以下、Ｂ−ＣＡＳカードやC−ＣＡＳカード（電子機器用カード）を単にカード１３と呼称する。
【０００９】
図１は本実施の形態にかかるカード保持構造を適用した薄型テレビの背面側の分解斜視図であり、本実施の形態にかかるカード保持構造は、筐体１と、被装カバー２とを備えて構成される。
【００１０】
筐体１は、背面側に向かって漸次縮径するように側面が段付の傾斜状に形成された略箱状に形成されており、その前面には表示部３が配設され、筐体１内部にはテレビとして機能するための機能部（図示せず）が内装されている。
【００１１】
そして、その左側面（表示部３側を正面とした場合）の上部には、入出力端子４が配設され、下部には、本発明の一要部である被係合部５が形成されている。
【００１２】
この被係合部５は、図１及び図３に示すように、段付の傾斜状に形成された筐体１側面のうち、左側面下部を凹設させて形成された横断面視略Ｌ字状の凹部６と、その凹部６の突き当たり面及びその凹部６の開始部分である傾斜状の入り口面の夫々に所定間隔をおいて上下に設けられた一対のスリット状の第１係止孔７ａと、その凹部６の突き当たり面において、後述するカード挿入孔９の幅方向略中央の位置と対応する位置に設けられたスリット状の第２係止孔７ｂとを備えてなる。
【００１３】
この凹部６は、上記した傾斜状の入り口面を過ぎて突き当たり面に至る底面が平坦状に形成されており、かかる底面に、図５に示すような、カード挿入孔９を備えたカードリーダー８や上記した入出力端子４がアッセンブリされた電子基板１０が実装されている。
【００１４】
このカードリーダー８は、カードリーダー８の前面（カード挿入孔９側）と底面とが面一となるように実装されており、図５に示すように、挿入されたカード１３の幅方向を規制しガイドさせるガイド部材１１と、カード１３に組み込まれたＩＣチップに記録された情報を読み取るための読取部１２とを備えて構成されている。
【００１５】
なお、この読取部１２は接点兼用の弾性片（図示せず）を備えてなり、カード挿入孔９にカード１３を手差しで挿入させることで、この弾性片によってカード１３の保持が行われると同時に、電気的な接続が完了するようになっている。したがって、挿入状態のカード１３を手前に引くだけで、カードリーダー８から簡単に取り出せるようになっている。
【００１６】
被装カバー２は、その外観形状が、段付の傾斜状に形成された筐体１側面のうち、左側面と連続するように形成されており、第１係止孔７ａと対応した位置に突設された第１係止爪１４ａと、第２係止孔７ｂと対応した位置に突設された第２係止爪１４ｂと、被装カバー２裏面の両端に突設され凹部６を形成させる両側壁と摺接させるガイドリブ１５と、被装カバー２裏面に突設され、係止爪１４を係止孔７に係合させて被装カバー２を被係合部５に嵌合させた際にカード１３の上縁部を押圧付勢させる押圧部１と、被装カバー２の表裏を貫くように形成され、被係合部５との嵌合状態時に、カード挿入孔９にカード１３が挿入されているか否かを外部から視認可能にさせるスリット孔１７（カード視認手段）と、第２係止爪１４ｂの近傍に形成された指掛け凹部２２とを備えて構成されている。
【００１７】
この上記した第１係止爪１４ａは、その先端部が漸次薄肉となるように、かつ、返し（顎）の無い所要幅の先鋭状に形成され、一方、第２係止爪１４ｂは、その先端部が漸次薄肉となるように、かつ、返し１４ｃ（顎）を表面側に設けた所要幅の先鋭状に形成されている。このように形成された被装カバー２は、第２係止孔７ｂ内に第２係止爪１４ｂの返し１４ｃ（顎）が掛止されることで、被係合部５に嵌合された被装カバー２は係合状態が維持され、指掛け凹部２２を押圧することで第２係止孔７ｂ内と第２係止爪１４ｂの返し１４ｃ（顎）との掛止が解除（被装カバー２が弾性変形して）され、その状態で被装カバー２を手前に引くことで被装カバー２が外れるようになっている。
【００１８】
また、上記した押圧部１６は、図２及び図３に示すように、被装カバー２の裏面に、かつ、スライド方向に両端が接続された一対の弾性変形可能な略アーチ状の線状部材からなり、この線状部材は、被係合部５と被装カバー２とを嵌合させた際に、カード１３の上縁部を向かい入れる凹み部分１８が形成されると共に、被装カバー２を一方（背面側から前面側に向かって）からスライドさせていくにつれて、カード１３の上縁部を徐々に押圧付勢させるように先端側が傾斜状に形成されている。
なお、この押圧部１６は、被装カバー２と一体成形で形成したり、バネ鋼やピアノ線等の鋼材を折り曲げて被装カバー２の裏面に固着（例えばインサート成形等で）しても良く、その態様は限定されない。
【００１９】
また、上記したスリット孔１７（カード視認手段）は、一対の押圧部１６間に、かつ、被装カバー２のスライド方向に延設されており、カード挿入孔９にカード１３が挿入されているか否かを外部から視認可能なように複数個並設されてなる。
【００２０】
本実施の形態で例示しているカード１３（Ｂ−ＣＡＳカードやC−ＣＡＳカード等）の場合、カード挿入の有無と連動して映像表示のＯＮ／ＯＦＦとなる重要なもの（カード挿入がされない限り映像は表示されない）であることから、このカード視認手段を設けることで利便性が向上する。また、このカード１３は、その放送サービス（ＢＳやＣＳ等）毎に付け替える必要があることから、このようなカード視認手段を設けることで、現在、何のカード１３が挿入されているか外部から容易に視認できる。
【００２１】
以上のように構成された本実施の形態にかかるカード保持構造は、まず、露出状態のカード挿入孔９にカード１３を挿入し、次いで、被装カバー２を被係合部５に対して一方（背面側から前面側に向かって）からスライドする。このとき、ガイドリブ１５が凹部６の両側壁に摺接することで幅方向の位置決めがなされると共に、押圧部１６が、カード１３の上縁部を徐々に押圧付勢していく。そして、さらに押し切るように被装カバー２をスライドすることで、第１係止爪１４ａが係止孔７ａに挿入すると同時に、第２係止爪１４ｂの返し１４ｃ（顎）が第２係止孔７ｂ内に掛止して、被装カバー２が被係合部５に嵌合し、これと同時に、押圧部１６の凹み部分１８にカード１３の上縁部が入り込んで、カード１３を押圧付勢しながら強固に保持する。なお、カード１３を取り出す場合は、指掛け凹部２２を押圧して第２係止孔７ｂ内と第２係止爪１４ｂの返し１４ｃ（顎）との掛止を解除し、その状態のまま被装カバー２を手前にスライドして被装カバー２を被係合部５から外し、次いで、カード１３を手前に引き抜いて取り出す。
【００２２】
このように本実施の形態にかかるカード保持構造によれば、カード挿入孔９の周囲に形成した被係合部５に被装カバー２を嵌合することで、被装カバー２に設けた押圧部１６がカード挿入孔９に挿入したカード１３の上縁部を押圧付勢するから、接続不良を完全に防止することができ、しかも、極めて簡単な構造であることから生産性も向上できる極めて好適なカード保持構造になっている。
また、被装カバー２を、段付の傾斜状に形成された筐体１側面のうち、左側面と連続するように形成したことで、図４に示すように、薄型テレビの外観意匠を向上させることができる。
【００２３】
以上、具体的な実施の形態について説明したが、本発明は上記実施の形態に限定されず、発明の要旨を変更しない範囲で適宜変更して実施できることは言うまでもない。
【００２４】
例えば、本実施の形態では、カード挿入孔９にカード１３が挿入されているか否かを外部から視認可能とさせるために、被装カバー２の表裏を貫くように形成したスリット孔１７を例示したが、被装カバー２を透明部材または半透明部材で構成しても良い。
また、本実施の形態では、第２係止爪１４ｂに返し１４ｃ（顎）を設けているが、第１係止爪１４ａの返し１４ｃ（顎）を設けても良く、係止爪（係止孔）の個数や、返しを設ける係止爪の個数は特に限定されない。
【００２５】
さらに、図６に示すように、押圧部１６に替えて、本実施の形態で例示したような略アーチ状の線状部材を用い、被装カバー２のスライド方向側の一端を被装カバー２の裏面に接続し、他端を、被装カバー２に設けた連通孔１９を介して被装カバー２の表面から出没可能なように自由端２０とした押圧部２１としても良い。
この場合、被装カバー２の表面から出没される自由端２０の先端部の出没具合に基づいて、カード挿入孔９にカード１３が挿入されているか否かを外部から判断することができる。また、自由端２０の先端部に着色を施して出没状態が容易に視認できるようにしても良い。
【００２６】
また、本実施の形態にかかるカード保持構造は、デジタル放送が受信可能な薄型テレビ（電子機器）に適用したものを例示しているが、メモリカードやＩＣカード等の電子機器用カードを用いる電子機器であれば全て適用可能である。
【図面の簡単な説明】
【００２７】
【図１】本実施の形態にかかるカード保持構造を適用した薄型テレビの背面側の分解斜視図である。
【図２】被装カバーの裏面側の斜視図である。
【図３】要部の横断平面図である。
【図４】本実施の形態にかかるカード保持構造を適用した薄型テレビの背面側の斜視図である。
【図５】電子基板の斜視図である。
【図６】変形例を示す要部の横断平面図である。
【符号の説明】
【００２８】
１  筐体
２  被装カバー
３  表示部
４  入出力端子
５  被係合部
６  凹部
７ａ  第１係止孔
７ｂ  第２係止孔
８  カードリーダー
９  カード挿入孔
１０  電子基板
１１  ガイド部材
１２  読取部
１３  カード
１４ａ  第１係止爪
１４ｂ  第２係止爪
１４ｃ  返し
１５  ガイドリブ
１６、２１  押圧部
１７  スリット孔
１８  凹み部分
１９  連通孔
２０  自由端
２２  指掛け凹部
【図１】
2008015594.tif 000003
【図２】
2008015594.tif 000004
【図３】
2008015594.tif 000005
【図４】
2008015594.tif 000006
【図５】
2008015594.tif 000007
【図６】
2008015594.tif 000008